(57)【要約】 【課題】通信品質が不十分である場所を特定でき、基地局を増設する際の設置位置を特定することが可能な屋内無線通信システムを提供する。【解決手段】屋内無線通信システムは、第１の基地局、保守端末及び集約装置を具備する。第１の基地局は、無線信号を送受信可能な無線エリアを形成する。保守端末は、第２の基地局を増設する対象となる領域において前記第１の基地局からの無線信号の受信電力を測定し、前記測定した受信電力と、前記受信電力を測定した第１の位置とを前記第１の基地局へ出力する。集約装置は、前記保守端末から出力された前記受信電力及び前記第１の位置を前記第１の基地局を介して受信し、受信した前記受信電力及び前記第１の位置に基づいて前記領域における前記受信電力の分布を記録し、前記分布を参照し、前記領域における各位置において周囲の受信電力を考慮したスコア値を、前記第２の基地局の増設位置の指標として算出する。【選択図】図１
2013258660.tif 000002
【特許請求の範囲】
【請求項１】
無線信号を送受信可能な無線エリアを形成する第１の基地局と、
第２の基地局を増設する対象となる領域において前記第１の基地局からの無線信号の受信電力を測定し、前記測定した受信電力と、前記受信電力を測定した第１の位置とを前記第１の基地局へ出力する保守端末と、
前記保守端末から出力された前記受信電力及び前記第１の位置を前記第１の基地局を介して受信し、受信した前記受信電力及び前記第１の位置に基づいて前記領域における前記受信電力の分布を記録し、前記分布を参照し、前記領域における各位置で受信された電力と、その電力が受信された位置の周囲で受信された電力と、に基づくスコア値を、前記第２の基地局の増設位置の指標として算出する集約装置と
を具備することを特徴とする屋内無線通信システム。
【請求項２】
前記保守端末は、前記増設位置を要求すると共に、現在位置を第２の位置として前記第１の基地局を介して前記集約装置へ通知し、
前記集約装置は、前記第２の位置の周囲の位置のうち、前記増設位置に最適なスコア値が得られた位置を、前記保守端末へ通知することを特徴とする請求項１記載の屋内無線通信システム。
【請求項３】
前記保守端末は、前記増設位置を前記第１の基地局を介して前記集約装置に要求し、
前記集約装置は、前記算出したスコア値のうち、前記増設位置に適したスコアが得られた複数の位置を、前記保守端末へ通知することを特徴とする請求項１記載の屋内無線通信システム。
【請求項４】
前記集約装置は、前記算出したスコア値のうち、前記増設位置と成りうるか否かを示す要件を満たすスコア値が得られた位置を、前記保守端末へ通知することを特徴とする請求項１乃至３のいずれかに記載の屋内無線通信システム。
【請求項５】
前記集約装置は、前記算出したスコア値と、前記スコア値が得られた位置とを前記保守端末へ通知することを特徴とする請求項１乃至３のいずれかに記載の屋内無線通信システム。
【請求項６】
前記集約装置は、前記スコア値を算出する際、前記領域外の位置は、受信電力が最大であるとすることを特徴とする請求項１乃至５のいずれかに記載の屋内無線通信システム。
【請求項７】
無線信号を送受信可能な無線エリアを形成する第１の基地局と、前記第１の基地局を管理し、第２の基地局を増設する対象となる領域において前記第２の基地局の増設位置を選択する集約装置とを備える屋内無線通信システムで用いられる保守端末において、
前記第１の基地局からの無線信号の受信電力を測定する受信電力測定部と、
前記受信電力を測定した第１の位置を入力させるための入力部と、
前記受信電力と、前記第１の位置とを前記第１の基地局を介して前記集約装置へ通知し、前記集約装置で前記受信電力及び前記第１の位置に基づいて算出される、前記増設位置を選択する際の指標となるスコア値に基づく情報を前記第１の基地局を介して前記集約装置から受信する通信部と、
前記情報を表示する表示部と
を具備することを特徴とする保守端末。
【請求項８】
前記入力部は、前記増設位置の要求指示と、現在位置についての第２の位置とが入力され、
前記通信部は、前記要求指示と、前記第２の位置とを前記第１の基地局を介して前記集約装置へ通知し、
前記通信部は、前記要求指示に応じて前記集約装置から出力される、前記第２の位置の周囲の位置のうち前記増設位置に最適なスコア値が得られた第１の選択位置を受信し、
前記表示部は、前記第１の選択位置を表示することを特徴とする請求項７記載の保守端末。
【請求項９】
前記入力部は、前記増設位置の要求指示が入力され、
前記通信部は、前記要求指示を前記第１の基地局を介して前記集約装置へ通知し、
前記通信部は、前記要求指示に応じて前記集約装置から出力される、前記算出されたスコア値のうち前記増設位置に適したスコア値が得られた複数の第１の選択位置を受信し、
前記表示部は、前記複数の第１の選択位置を表示することを特徴とする請求項７記載の保守端末。
【請求項１０】
前記通信部は、前記算出されたスコア値のうち、前記増設位置と成りうる要件を満たすスコア値が得られた第２の選択位置を前記集約装置から受信し、
前記表示部は、前記第２の選択位置を表示することを特徴とする請求項７乃至９のいずれかに記載の保守端末。
【請求項１１】
前記通信部は、前記算出したスコア値と、前記スコア値が算出された第２の選択位置とを、前記集約装置から受信し、
前記表示部は、前記スコア値と、前記第２の選択位置とを表示することを特徴とする請求項７乃至９のいずれかに記載の保守端末。
【請求項１２】
保守端末により、第１の基地局から送信される無線信号の受信電力が、第２の基地局を増設する対象となる領域において測定され、
前記保守端末により、前記受信電力を測定した第１の位置が取得され、
前記保守端末で取得された前記受信電力及び前記第１の位置を、前記第１の基地局を介して集約装置で受信し、
前記集約装置により、前記受信電力及び前記第１の位置に基づいて前記領域における前記受信電力の分布を記録し、
前記集約装置により、前記分布を参照し、前記領域における各位置で受信された電力と、その電力が受信された位置の周囲で受信された電力と、に基づくスコア値を、前記第２の基地局の増設位置の指標として算出することを特徴とする設置位置判定方法。
【請求項１３】
前記保守端末により、前記増設位置の要求と、前記保守端末の現在位置についての第２の位置とを取得し、
前記保守端末で取得された前記増設位置の要求及び前記第２の位置を、前記第１の基地局を介して前記集約装置で受信し、
前記集約装置により、前記第２の位置の周囲の位置のうち、前記増設位置に最適なスコア値が得られた位置を、前記保守端末へ通知することを特徴とする請求項１２記載の設置位置判定方法。
【請求項１４】
前記保守端末により、前記増設位置の要求を取得し、
前記保守端末で取得された前記増設位置の要求を、前記第１の基地局を介して前記集約装置で受信し、
前記集約装置により、前記算出したスコア値のうち、前記増設位置に適したスコア値が得られた複数の位置を、前記保守端末へ通知することを特徴とする請求項１２記載の設置位置判定方法。
【請求項１５】
前記集約装置により、前記算出したスコア値のうち、前記増設位置と成りうる要件を満たすスコア値が得られた位置を、前記保守端末へ通知することを特徴とする請求項１２乃至１４のいずれかに記載の設置位置判定方法。
【請求項１６】
前記集約装置により、前記算出したスコア値と、前記スコア値が得られた位置とを前記保守端末へ通知することを特徴とする請求項１２乃至１４のいずれかに記載の設置位置判定方法。
【請求項１７】
無線信号を送受信可能な無線エリアを形成する第１の基地局を管理する集約装置で用いられる設置位置判定プログラムにおいて、
第２の基地局を増設する対象となる領域において前記第１の基地局からの無線信号の受信電力を取得する処理と、
前記受信電力を測定した第１の位置を取得する処理と、
取得した前記受信電力及び前記第１の位置に基づいて前記領域における前記受信電力の分布を記録する処理と、
前記分布を参照し、前記領域における各位置で受信された電力と、その電力が受信された位置の周囲で受信された電力と、に基づくスコア値を、前記第２の基地局の増設位置の指標として算出する処理と
を前記集約装置のコンピュータに実行させる設置位置判定プログラム。
【請求項１８】
前記増設位置を要求する要求指示と、保守端末の現在位置についての第２の位置とを取得する処理と、
前記第２の位置の周囲の位置のうち、前記増設位置に最適なスコア値が得られた位置を前記第１の基地局を介して前記保守端末へ出力する処理と
をさらに前記コンピュータに実行させることを特徴とする請求項１７記載の設置位置判定プログラム。
【請求項１９】
前記増設位置を要求する要求指示を取得する処理と、
前記算出したスコア値のうち、前記増設位置に適したスコア値が得られた複数の位置を前記第１の基地局を介して保守端末へ出力する処理と
を前記コンピュータにさらに実行させることを特徴とする請求項１７記載の設置位置判定プログラム。
【請求項２０】
前記算出したスコア値のうち、前記増設位置と成りうる要件を満たすスコア値が得られた位置を前記第１の基地局を介して保守端末へ出力する処理を前記コンピュータにさらに実行させることを特徴とする請求項１７乃至１９のいずれかに記載の設置位置判定プログラム。
【請求項２１】
前記算出したスコア値と、前記スコア値が得られた位置とを前記第１の基地局を介して保守端末へ出力する処理を前記コンピュータにさらに実行させることを特徴とする請求項１７乃至１９のいずれかに記載の設置位置判定プログラム。
【発明の詳細な説明】
【技術分野】
【０００１】
本発明の実施形態は、屋内において無線通信ネットワークを形成する屋内無線通信システム、この屋内無線通信システムで用いられる保守端末、設置位置判定方法及び設置位置判定プログラムに関する。
【背景技術】
【０００２】
無線通信システムにおいて、無線端末が建物及び／又は地下にて通信を行う場合、屋外基地局からの受信電力が低下し、通信品質が不十分になってしまう場合がある。そこで、無線通信システムの屋内カバレージ及び通信品質を向上させるために、ＤＡＳ（Distributed Antenna System）及び／又はピコセル等、屋内用基地局を設置する方法が一般である。
【０００３】
ところで、屋内基地局を設置する時に、工事者は特に最適化された置局設計までは行わず、同じ距離で基地局を並べる場合があり、屋内にあるパーティション等の障害物等により電波が届かない場所が残っている可能性がある。通信品質を確保するためには、通信品質が不十分である場所を特定し、基地局を増設する際の設置位置を特定する必要がある。
【０００４】
しかしながら、従来の屋内無線通信システムでは、屋内に設置した基地局同士が連携していないため、通信品質が不十分である場所を特定できず、基地局を増設する際の設置位置を特定することができない。
【先行技術文献】
【特許文献】
【０００５】
【特許文献１】特開２０１０−２７８６７０号公報
【発明の概要】
【発明が解決しようとする課題】
【０００６】
以上のように、従来の屋内無線通信システムでは、通信品質が不十分である場所を特定できず、基地局を増設する際の設置位置を特定することができなかった。
【０００７】
そこで目的は、通信品質が不十分である場所を特定でき、基地局を増設する際の設置位置を特定することが可能な屋内無線通信システムと、このシステムで用いられる保守端末、設置位置判定方法及び設置位置判定プログラムとを提供することにある。
【課題を解決するための手段】
【０００８】
実施形態によれば、屋内無線通信システムは、第１の基地局、保守端末及び集約装置を具備する。第１の基地局は、無線信号を送受信可能な無線エリアを形成する。保守端末は、第２の基地局を増設する対象となる領域において前記第１の基地局からの無線信号の受信電力を測定し、前記測定した受信電力と、前記受信電力を測定した第１の位置とを前記第１の基地局へ出力する。集約装置は、前記保守端末から出力された前記受信電力及び前記第１の位置を前記第１の基地局を介して受信し、受信した前記受信電力及び前記第１の位置に基づいて前記領域における前記受信電力の分布を記録し、前記分布を参照し、前記領域における各位置で受信された電力と、その電力が受信された位置の周囲で受信された電力と、に基づくスコア値を、前記第２の基地局の増設位置の指標として算出する。
【図面の簡単な説明】
【０００９】
【図１】本実施形態に係る屋内無線通信システムの構成を示す図である。
【図２】図１に示す屋内無線通信システムの機能構成を示すブロック図である。
【図３】図２に示す集約装置の制御部の機能構成を示すブロック図である。
【図４】図２に示す屋内無線通信システムが、増設する基地局の最適設置位置を決定する際のシーケンス図を示す。
【図５】図２に示す集約装置の制御部の処理を示すフローチャートである。
【図６】図１に示す建造物のフロアマップを示す図である。
【図７】図２に示す集約装置により作成される受信電力マップを示す図である。
【図８】図７に示す受信電力マップに基づいて作成されるスコア値マップを示す図である。
【発明を実施するための形態】
【００１０】
以下、実施の形態について、図面を参照して説明する。図１は、本実施形態に係る屋内無線通信システムの構成の例を示す模式図である。図１に示す屋内無線通信システムは、集約装置１０、基地局２０−１〜２０−６及び保守端末３０を具備する。
【００１１】
図１は、基地局２０−１，２０−２は建造物Ｂの１階に設置され、基地局２０−３，２０−４は建造物Ｂの２階に設置され、基地局２０−５，２０−６は建造物Ｂの３階に設置される場合の例を示す。なお、図１では、各階に２台の基地局が設置される場合を例に示しているが、各階に設置される基地局の数は２台に限定される訳ではない。
【００１２】
集約装置１０は、例えば、建造物Ｂ内の管理室に設置され、基地局２０−１〜２０−６を集中管理する。集約装置１０は、無線通信により基地局２０−１〜２０−６と接続する。なお、集約装置１０は、基地局２０−１〜２０−６とＩＰ網又はＩＳＤＮ網等の有線で接続するようにしてもかまわない。
【００１３】
また、集約装置１０は、ＩＰ網又はＩＳＤＮ網により、アクセスネットワークと接続する。なお、集約装置１０がアクセスネットワークと接続するネットワーク種別は、アクセスネットワークに接続される種々の装置と任意の通信が可能であるならば、ＩＰ網又はＩＳＤＮ網に制限されない。
【００１４】
保守端末３０は、基地局を増設する際に工事者により保持され、建造物Ｂ内を移動する。なお、図１では、２階に１台の保守端末３０が存在する場合を例に説明しているが、建造物Ｂ内に存在する保守端末３０は、１台に限定されず、各階に複数台ずつ存在していてもかまわない。
【００１５】
なお、図１では３階建ての建造物Ｂが示されているが、屋内無線通信システムが設置される建造物の階数は３階に限定されず、何階であってもかまわない。
【００１６】
図２は、図１に示す屋内無線通信システムの機能構成を示すブロック図である。なお、基地局２０−１〜２０−６の構成はそれぞれ同様であるため、図２では、基地局を代表して基地局２０について説明する。
【００１７】
保守端末３０は、通信部３１、受信電力測定部３２、入力部３３、表示部３４及び制御部３５を備える。
【００１８】
通信部３１は、基地局２０と無線通信を行う。通信部３１は、基地局２０から無線エリア内に放射される無線信号を受信する。また、通信部３１は、後述する集約装置１０から基地局２０を介して供給される応答信号を受信する。応答信号は、基地局を増設する際の設置位置に関する第３の２次元位置情報を含む。
【００１９】
また、通信部３１は、受信電力測定部３２で測定される受信電力と、受信電力を測定した位置についての第１の２次元位置情報とを含む通知信号を基地局２０へ出力する。このとき、通知信号には、無線通信を行う基地局を識別可能な識別情報が含まれる。保守端末３０が複数の基地局２０からの無線信号の受信電力を測定する場合、通信部３１は、受信電力を測定した各基地局へ、基地局毎に測定された受信電力と、第１の２次元位置情報とを含む通知信号を送信する。
【００２０】
また、通信部３１は、保守端末３０が現在位置する位置についての第２の２次元位置情報を含む要求信号を基地局２０へ出力する。
【００２１】
また、通信部３１は、保守端末３０が現在位置する建造物Ｂ内の階数等の３次元位置情報を、基地局２０を介して集約装置１０へ通知する。
【００２２】
受信電力測定部３２は、基地局２０から送信される無線信号の受信電力を測定する。複数の基地局からの無線信号を受信している場合、受信電力測定部３２は、基地局毎に受信電力を測定する。
【００２３】
入力部３３は、保守端末を保持する工事者が保守端末への指示を入力可能な、例えば、タッチパネル又は入力キー等のデバイスからなる。
【００２４】
入力部３３には、以下の指示及び情報が入力される。例えば、入力部３３には、保守端末３０が現在位置する建造物Ｂ内の階数等の３次元位置情報が入力される。
【００２５】
また、入力部３３には、受信電力の測定を要求する第１の要求指示が入力される。第１の要求指示に続き、入力部３３には、受信電力を測定した位置についての第１の２次元位置情報が入力される。
【００２６】
また、入力部３３には、増設する基地局を設置する際の最適設置位置を要求する第２の要求指示が入力される。第２の要求指示に続き、入力部３３には、保守端末３０が現在存在する位置についての第２の２次元位置情報が入力される。
【００２７】
表示部３４は、工事者に対して情報を表示する、例えば、ＬＣＤ等のデバイスである。表示部３４は、入力部３３から入力される３次元位置情報に応じたフロアマップを表示する。
【００２８】
また、表示部３４は、第１の要求指示が入力されると、第１の２次元位置情報を入力するための第１の入力画面を表示する。また、表示部３４は、第２の要求指示が入力されると、第２の２次元位置情報を入力するための第２の入力画面を表示する。工事者は、第１又は第２の入力画面に従い、表示されるフロアマップ等を参照し、第１又は第２の２次元位置情報を入力部３３から入力する。
【００２９】
また、表示部３４は、応答信号に含まれる、増設する基地局の設置位置に関する第３の２次元位置情報及び／又は設置位置までの移動方向を表示する。
【００３０】
制御部３５は、入力部３３から受信電力の測定を要求する第１の要求指示が入力された場合、受信電力測定部３２に受信電力を測定させると共に、表示部３４に第１の入力画面を表示させ、入力部３３から第１の２次元位置情報を入力可能とする。制御部３５は、受信電力測定部３２で受信電力が測定され、入力部３３から第１の２次元位置情報が入力されると、通知信号を通信部３１に送信させる。
【００３１】
また、制御部３５は、増設する基地局を設置する際の最適設置位置を要求する第２の要求指示が入力部３３から入力された場合、表示部３４に第２の入力画面を表示させ、入力部３３から第２の２次元位置情報を入力可能とする。制御部３５は、入力部３３から第２の２次元位置情報が入力されると、要求信号を通信部３１に送信させる。制御部３５は、要求信号に応じた応答信号が基地局２０を介して供給されると、応答信号に含まれる、増設する基地局の設置位置に関する第３の２次元位置情報を表示部３４に表示させる。
【００３２】
また、制御部３５は、入力部３３から３次元位置情報が入力されると、入力された３次元位置情報を通信部３１に出力させる。
【００３３】
基地局２０は、通信部２１及び制御部２２を備える。
【００３４】
通信部２１は、制御部２２からの制御に従って無線信号を送信し、無線エリアを形成する。無線信号には、無線信号を送信した基地局を識別可能な識別情報が含まれる。通信部２１は、形成した無線エリア内の保守端末３０及び集約装置１０と無線通信を行う。通信部２１は、保守端末３０から出力される通知信号又は要求信号を受信し、受信した通知信号又は要求信号を集約装置１０へ出力する。また、通信部２１は、集約装置１０から出力される応答信号を受信し、受信した応答信号を保守端末３０へ出力する。
【００３５】
集約装置１０は、通信部１１、記録部１２及び制御部１３を備える。
【００３６】
通信部１１は、アクセスネットワークと接続する。また、通信部１１は、基地局２０と無線通信を行う。通信部１１は、基地局２０から出力される通知信号及び要求信号を受信する。また、通信部１１は、基地局２０から出力される３次元位置情報を受信する。
【００３７】
また、通信部１１は、制御部１３で決定される第３の２次元位置情報を含んだ応答信号を基地局２０へ出力する。
【００３８】
制御部１３は、例えば、ＣＰＵ（Central Processing Unit）と、ＣＰＵが処理を実行するためのプログラムやデータを格納するＲＯＭ（Read Only Memory）及びＲＡＭ（Random Access Memory）等とを備える。制御部１３は、ＣＰＵにアプリケーション・プログラムを実行させることにより、図３に示すマップ作成部１３１、スコア値算出部１３２及び位置決定部１３３の機能を実現させる。
【００３９】
マップ作成部１３１は、基地局２０から出力される３次元位置情報に基づき、保守端末３０が現在存在する階数を把握する。マップ作成部１３１は、基地局２０から出力される通知信号が受信されると、通知信号に含まれる第１の２次元位置情報を参照して受信電力マップを作成し、作成した受信電力マップを記録部１２へ記録する。受信電力マップが作成済みである場合、マップ作成部１３１は、基地局２０から出力される通知信号が受信されると、記録部１２に記録されている受信電力マップを、受信した通知信号に基づいて更新する。ここで、受信電力マップとは、例えば、屋内エリア全体をグリッドとして管理し、各セルに基地局の識別情報と、この基地局からの受信電力レベルとを保持させたものである。なお、受信電力マップは、これに限定される訳ではなく、屋内エリアに複数の代表位置を割り当て、複数の代表位置に、基地局の識別情報と、この基地局からの受信電力レベルとを保持させるようにしてもかまわない。
【００４０】
また、複数基地局の受信電力を受信した場合、マップ作成部１３１は、最大受信電力情報で受信電力マップを更新する。
【００４１】
スコア値算出部１３２は、受信電力マップが完成すると、周囲のセルの受信電力をセル毎に考慮し、増設する基地局の設置位置の指標となるスコア値を算出する。
【００４２】
位置決定部１３３は、基地局２０から出力される要求信号が受信されると、要求信号に含まれる第２の２次元位置情報と、算出したスコア値を参照し、最適な設置位置へ保守端末３０を誘導するように第３の２次元位置情報を作成する。例えば、位置決定部１３３は、第２の２次元位置情報により特定されるセルの周囲のセルのうち、スコア値が最小のセルを第３の２次元位置情報とする。位置決定部１３３は、作成した第３の２次元位置情報を含む応答信号を通信部１１に出力させる。
【００４３】
次に、以上のように構成される屋内無線通信システムが、増設する基地局の最適設置位置を決定する動作を説明する。図４は、本実施形態に係る屋内無線通信システムが、増設する基地局の最適設置位置を決定する際のシーケンス図を示す。また、図５は、本実施形態に係る集約装置１０の制御部１３の処理を示すフローチャートである。なお、図４及び図５では、図６に示すフロアマップにおいて、増設する基地局の設置位置を決定する場合を例に説明する。図６において、フロアマップは、識別情報ＢＳＩＤ１の基地局２０−３と、識別情報ＢＳＩＤ２の基地局２０−４とが配置された建造物Ｂの２階のフロアマップであり、Ａ１〜Ｆ５のセルに分けられる。なお、フロアマップにおいて、既設の基地局の位置は表示されていなくてもかまわない。
【００４４】
図４において、保守端末３０を保持する工事者は、図６における位置Ａ１での受信電力を測定する。工事者は、入力部３３から、受信電力を測定した第１の２次元位置情報「Ａ１」を入力する（シーケンスＳ４１）。
【００４５】
保守端末３０は、Ａ１において、基地局２０−３からの無線信号の受信電力を「４」と測定する。なお、本説明では、受信電力は０（弱）から１０（強）までとする。保守端末３０は、識別情報「ＢＳＩＤ１」、第１の２次元位置情報「Ａ１」及び受信電力「４」を含む通知信号を基地局２０−３へ出力する（シーケンスＳ４２）。
【００４６】
基地局２０−３は、保守端末３０から出力された通知信号を受信し、受信した通知信号を集約装置１０へ出力する（シーケンスＳ４３）。
【００４７】
図５において、集約装置１０は、基地局２０−３から出力された通知信号を受信する（ステップＳ５１）。集約装置１０は、受信した通知信号に含まれる第１の２次元位置情報「Ａ１」及び受信電力「４」を参照し、図６に示す位置Ａ１のセルに、受信電力「４」を保持させることで、受信電力マップを作成する（ステップＳ５２）。
【００４８】
続いて、集約装置１０は、フロアマップにおける全ての位置において受信電力を測定したか否かを判断する（ステップＳ５３）。ここでは、位置Ａ１における受信電力しか測定していないため（ステップＳ５３のＮｏ）、集約装置１０は、処理をステップＳ５１へ遷移する。
【００４９】
続いて、図４において、工事者は、保守端末３０を保持したまま位置Ａ２まで移動し、位置Ａ２での受信電力を測定する。工事者は、第１の２次元位置情報「Ａ２」を入力する（シーケンスＳ４４）。
【００５０】
保守端末３０は、Ａ２において、基地局２０−３からの無線信号の受信電力を「９」と測定する。保守端末３０は、識別情報「ＢＳＩＤ１」、第１の２次元位置情報「Ａ２」及び受信電力「９」を含む通知信号を基地局２０−３へ出力する（シーケンスＳ４５）。
【００５１】
基地局２０−３は、保守端末３０から出力された通知信号を受信し、受信した通知信号を集約装置１０へ出力する（シーケンスＳ４６）。
【００５２】
集約装置１０は、図５に示すステップＳ５１及びステップＳ５２を実行することで、受信した通知信号に含まれる第１の２次元位置情報「Ａ２」及び受信電力「９」を参照し、図６に示す位置Ａ２のセルに、受信電力「９」を保持させることで、受信電力マップを作成する。
【００５３】
工事者は、保守端末３０を保持したまま位置Ａ３からＦ６まで移動し、各位置で受信電力を測定する。保守端末３０は、受信電力を測定する度に、通知信号を基地局２０−３又は基地局２０−４へ出力する。通知信号は、基地局２０−３又は基地局２０−４を介し、集約装置１０で受信される。
【００５４】
図５において、位置Ａ１からＦ６までの受信電力の測定が終了した場合（ステップＳ５３のＹｅｓ）、集約装置１０は、受信電力マップが完成したとして処理をステップＳ５４へ遷移する。図７は、ステップＳ５１〜Ｓ５３により作成された受信電力マップを示す。図７において、基地局２０−３，２０−４のカバレージを円で示す。基地局２０−３，２０−４に近い位置Ｂ２，Ｄ４付近は、受信電力レベルが高い値となり、基地局２０−３，２０−４から離れた位置Ａ６，Ｆ１付近は、受信電力が低い値となる。また、本説明では、集約装置１０は、複数基地局の受信電力を受信した場合、最大受信電力情報で受信電力マップを更新するようにしている。例えば、位置Ｄ３において保守端末３０が、基地局２０−３の受信電力「２」と、基地局２０−４の受信電力「５」とを測定した場合、その結果を受信した集約装置１０の制御部１３は、基地局２０−４の受信電力「５」を用いて受信電力マップを更新する。
【００５５】
また、他の階に設置される基地局からの無線信号の受信電力が測定される場合、集約装置１０は、他の階の基地局の受信電力も含めて受信電力マップを作成する。
【００５６】
集約装置１０は、ステップＳ５４において作成した受信電力マップに基づいてスコア値を算出する（ステップＳ５４）。
【００５７】
ここで、スコア値算出部１３２が受信電力マップに基づいてスコア値を算出する際のアルゴリズムの例を説明する。
【００５８】
スコア値算出部１３２は、各セルの周囲のセルの受信電力状況、及び、屋内エリアの特徴（壁等）を考慮し、セル毎にスコア値を算出する。ここでは、スコア値の算出対象となるセルの受信電力と、このセルと隣接するセルの受信電力との平均値を使用してスコア値を算出する。例えば、図７に示す受信電力マップにおける位置Ｂ２及びＤ３のスコア値は、
Ｂ２のスコア値=(4+9+8+9+10+10+4+10+8)÷9=8 点
Ｄ３のスコア値=(10+5+0+8+5+5+6+10+10)÷9=6 点
と算出される。
【００５９】
ただし、受信電力マップの端にあるセルのスコア値を計算する時に、隣接セルがエリア外または屋外にある場合、それらの場所をカバーする必要がないため、受信電力「１０」とする。例えば、位置Ａ５及びＦ６のスコア値は、
Ａ５のスコア値=(10+0+0+10+0+0+10+0+0)÷9=3 点
Ｆ６のスコア値=(10+6+10+7+1+10+10+10+10)÷9=8 点
と算出される。図８は、図７に示す受信電力マップに基づいて算出されるスコア値を示す図である。なお、スコア値を算出するアルゴリズムは上記のアルゴリズムに限定される訳ではない。
【００６０】
続いて、図４において、保守端末３０を保持する工事者は、図６における位置Ｃ４から、増設する基地局を設置する際の最適設置位置を要求する。工事者は、入力部３３から第２の２次元位置情報「Ｃ４」を入力する（シーケンスＳ４１０）。
【００６１】
保守端末３０は、第２の２次元位置情報「Ｃ４」を含む要求信号を基地局２０−４へ出力する（シーケンスＳ４１１）。
【００６２】
基地局２０−４は、保守端末３０から出力された要求信号を集約装置１０へ出力する（シーケンスＳ４１２）。
【００６３】
図５において、集約装置１０の制御部１３は、要求信号を受信したか否かを判断する（ステップＳ５５）。制御部１３は、シーケンスＳ４１２において基地局２０−４からの要求信号を受信しているので（ステップＳ５５のＹｅｓ）、第２の２次元位置情報「Ｃ４」の周囲のセルのうち、スコア値が最小である「２」を示すセルＢ５を第３の２次元位置情報とする（ステップＳ５６）。制御部１３は、第３の２次元位置情報「Ｂ５」を含む応答信号を基地局２０−４へ出力する（ステップＳ５７）。
【００６４】
続いて、制御部１３は、移動後のセルＢ５の周囲にスコア値がより小さいセルがあるか否かを判断する（ステップＳ５８）。セルＢ５の周囲にはスコア値が「２」より小さいスコア値のセルは存在しないため（ステップＳ５８のＮｏ）、制御部１３は処理を終了する。
【００６５】
ステップＳ５８において、スコア値がより小さいセルがある場合（ステップＳ５８のＹｅｓ）、制御部１３は、スコア値がより小さいセルを第３の２次元位置情報とする（ステップＳ５９）。制御部１３は、新たに作成した第３の２次元位置情報を含む応答信号を基地局２０−３又は基地局２０−４へ出力し（ステップＳ５１０）、処理をステップＳ５８へ遷移する。
【００６６】
ステップＳ５５において、要求信号を受信していない場合（ステップＳ５５のＮｏ）、制御部１３は、集約装置１０が新たに通知信号を受信したか否かを判断する（ステップＳ５１１）。集約装置１０が新たに通知信号を受信した場合（ステップＳ５１１のＹｅｓ）、制御部１３は、受信した通知信号に基づいて受信電力マップを更新し（ステップＳ５１２）、処理をステップＳ５５へ遷移する。また、集約装置１０が新たに通知信号を受信していない場合（ステップＳ５１１のＮｏ）、制御部１３は、処理をステップＳ５５へ遷移する。
【００６７】
図４において、集約装置１０は、応答信号を、要求信号を送信した基地局２０−４へ送信する（シーケンスＳ４１３）。
【００６８】
基地局２０−４は、集約装置１０からの応答信号を受信し、受信した応答信号を保守端末３０へ出力する（シーケンスＳ４１４）。
【００６９】
保守端末３０は、受信した応答信号に含まれる第３の２次元位置情報「Ｂ５」への移動経路を、表示部３４に表示する。
【００７０】
また、保守端末３０を保持する工事者が、図６における位置Ｅ３から、増設する基地局を設置する際の最適設置位置を要求する場合、工事者は、入力部３３から第２の２次元位置情報「Ｅ３」を入力する（シーケンスＳ４１５）。
【００７１】
保守端末３０は、第２の２次元位置情報「Ｅ３」を含む要求信号を基地局２０−４を介して、集約装置１０へ出力する（シーケンスＳ４１６，Ｓ４１７）。
【００７２】
集約装置１０の制御部１３は、要求信号を受信すると（ステップＳ５５のＹｅｓ）、第２の２次元位置情報「Ｅ３」の周囲のセルのうち、スコア値が最小である「１」を示すセルＥ２を第３の２次元位置情報とする（ステップＳ５６）。制御部１３は、第３の２次元位置情報「Ｅ２」を含む応答信号を基地局２０−４へ出力する（ステップＳ５７）。
【００７３】
図４において、集約装置１０は、応答信号を、要求信号を送信した基地局２０−４を介して保守端末３０へ送信する（シーケンスＳ４１８，Ｓ４１９）。
【００７４】
保守端末３０は、受信した応答信号に含まれる第３の２次元位置情報「Ｅ２」への移動経路を、表示部３４に表示する。
【００７５】
以上のように、本実施形態では、保守端末３０は、受信電力を測定し、受信電力と、受信電力を測定した位置の位置情報とを基地局２０を介して集約装置１０へ出力する。集約装置１０は、受信電力と位置情報とから受信電力の分布を示す受信電力マップを作成する。そして、集約装置１０は、受信電力マップに基づき、基地局を増設する最適な位置を判定するためのスコア値を算出するようにしている。一方、従来の屋内無線通信システム通信では、全ての基地局が独立しており集中管理する集約装置が存在しない。そのため、従来の屋内無線通信システムでは、複数基地局から収集した受信電力情報等を連携することができず、増設する基地局の最適な設置位置を特定することは困難である。本実施形態に係る屋内無線通信システムによれば、集約装置１０により基地局からの情報を集約し、集約した情報に基づいてスコア値を算出するようにしているため、増設する基地局を設置するのに最適な位置を特定することが可能となる。
【００７６】
また、保守端末３０は、増設する基地局を設置する最適設置位置が要求されると共に、保守端末３０を保持する工事者の現在の位置情報が入力され、入力された位置情報を集約装置１０へ通知する。集約装置１０は、現在の位置情報が通知されると、通知された位置の周囲でスコア値が最小の位置を保守端末３０へ通知する。一方、従来の屋内無線通信システムでは、屋内においてはＧＰＳ機能は使えないため、自動的に位置情報を取得することができない工事者は、屋内基地局を増設する際に、受信電力の測定結果が低くても、その位置が、最適な設置位置かどうかを判断することはできない。本実施形態に係る屋内無線通信システムによれば、保守端末３０は現在の位置を通知するようにしているため、集約装置１０は、保守端末３０の現在の位置を正確に把握することが可能であり、保守端末３０の現在の位置に最も近い設置位置を提供することが可能となる。また、保守端末３０を保持する工事者は、保守端末３０に表示されるアドバイスを参照することで、効率的に基地局を増設することが可能となる。
【００７７】
また、集約装置１０は、スコア値を算出する際に、基地局によりカバーする必要のない位置の受信電力は最大であるとしている。これにより、集約装置１０は、基地局によりカバーする必要のない領域を除外した上で、基地局を増設する設置位置を選択するためのスコア値を算出することが可能となる。
【００７８】
したがって、本実施形態に係る屋内無線通信システムによれば、通信品質が不十分である場所を特定でき、基地局を増設する際の設置位置を特定することができる。
【００７９】
なお、本実施形態では、複数の基地局からの無線信号の受信電力を測定する場合、保守端末３０は、受信電力測定した各基地局へ通知信号をそれぞれ出力する場合を例に説明した。しかしながら、これに限定される訳ではない。例えば、保守端末３０は、複数の基地局についての受信電力を測定した場合、受信電力が最大の基地局のみへ通知信号を送信するようにしてもかまわない。
【００８０】
また、本実施形態では、集約装置１０の制御部１３は、保守端末３０から現在の位置が通知された場合に、通知された現在の位置に基づいて、増設する基地局の設置位置を保守端末３０へ通知する場合を例に説明した。しかしながら、これに限定される訳ではない。例えば、位置決定部１３３は、増設する基地局を設置する際の最適設置位置が保守端末３０から要求されると、この要求に応じて、スコア値が最も低い位置、又は、スコア値が低い下位複数個の位置を選択する。そして、位置決定部１３３は、通信部１１に、スコア値が最も低い位置、又は、スコア値が低い下位複数個の位置を、基地局２０を介して保守端末３０へ応答させるようにしてもかまわない。
【００８１】
また、本実施形態では、集約装置１０は、スコア値を算出し、保守端末３０からの要求を受けて、スコア値に基づく最適設置位置を保守端末３０へ応答する場合を例に説明した。しかしながら、これに限定される訳ではない。例えば、位置決定部１３３は、算出したスコア値に、予め設定した閾値よりも低いスコア値がある場合、それらのスコア値が算出された位置が基地局を増設されるべき位置であるとして、閾値よりも低いスコア値が算出された位置を選択する。ここで、閾値とは、基地局を増設する位置として適していることを示す要件となるものである。そして、位置決定部１３３は、通信部１１に、選択した位置を基地局２０を介して保守端末３０へ応答させるようにしてもかまわない。
【００８２】
また、例えば、スコア算出部１３２は、スコア値を算出すると、算出したスコア値と、スコア値を算出した位置とを、通信部１１から保守端末３０へ出力するようにしてもかまわない。
【００８３】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００８４】
１０…集約装置、１１…通信部、１２…記録部、１３…制御部、１３１…マップ作成部、１３２…スコア値算出部、１３３…位置決定部、２０，２０−１〜２０−６…基地局、２１…通信部、２２…制御部、３０…保守端末、３１…通信部、３２…受信電力測定部、３３…入力部、３４…表示部、３５…制御部
【図１】
2013258660.tif 000003
【図２】
2013258660.tif 000004
【図３】
2013258660.tif 000005
【図４】
2013258660.tif 000006
【図５】
2013258660.tif 000007
【図６】
2013258660.tif 000008
【図７】
2013258660.tif 000009
【図８】
2013258660.tif 000010